(57)【要約】【課題】インク、トナー消費量を軽減することが可能な印刷システムを提供する。【解決手段】印刷データを作成するパソコン１と、印刷データを紙に出力するプリンタ９とが接続された印刷システムにおいて、パソコン１は、文書作成編集を行うアプリケーション２からの文書などの印刷要求を、プリンタ９が解釈できるプリンタ言語に変換する機能と、アプリケーション２からの印刷時の各種機能設定を行なう機能と、印刷するオブジェクトの色を検出する機能と、オブジェクトごとに色を変化させる機能とを有するプリンタドライバ４を備え、印刷要求されるテキスト部線分を破線出力する。【選択図】      図１
2004178008.tif 000002
【特許請求の範囲】
【請求項１】
印刷データを作成するパソコンと、印刷データを紙に出力するプリンタとが接続された印刷システムにおいて、前記パソコンは、文書作成編集を行うアプリケーションからの文書などの印刷要求を、プリンタが解釈できるプリンタ言語に変換する言語変換手段と、前記アプリケーションからの印刷時の各種機能設定を行なう機能設定手段と、印刷するオブジェクトの色を検出する色検出手段と、前記オブジェクトごとに色を変化させる色変化手段と、を有するプリンタドライバを備え、印刷要求されるテキスト部線分を破線出力することを特徴とする印刷システム。
【請求項２】
印刷データを作成するパソコンと、印刷データを紙に出力するプリンタとが接続された印刷システムにおいて、前記パソコンは、文書作成編集を行うアプリケーションからの文書などの印刷要求を、プリンタが解釈できるプリンタ言語に変換する言語変換手段と、前記アプリケーションからの印刷時の各種機能設定を行なう機能設定手段と、印刷するオブジェクトの色を検出する色検出手段と、前記オブジェクトごとに色を変化させる色変化手段と、を有するプリンタドライバを備え、印刷要求されるイメージ部の色を調査し、検出される色に対して濃い・薄いという判定を設け、薄い判定分は白抜けにし、濃い判定分は色は据え置きにすることを特徴とする印刷システム。
【請求項３】
印刷データを作成するパソコンと、印刷データを紙に出力するプリンタとが接続された印刷システムにおいて、前記パソコンは、文書作成編集を行うアプリケーションからの文書などの印刷要求を、プリンタが解釈できるプリンタ言語に変換する言語変換手段と、前記アプリケーションからの印刷時の各種機能設定を行なう機能設定手段と、印刷するオブジェクトの色を検出する色検出手段と、オブジェクトごとに色を変化させる色変化手段と、を有するプリンタドライバを備え、印刷要求されるグラフィック部において、線分は破線で、塗りつぶしはスクリーントーンのパターンで、パターンは線分置き換え可能であれば線分への置き換えを行うことを特徴とする印刷システム。
【請求項４】
印刷データを作成するパソコンと、印刷データを紙に出力するプリンタとが接続された印刷システムにおいて、前記パソコンは、文書作成編集を行うアプリケーションからの文書などの印刷要求を、プリンタが解釈できるプリンタ言語に変換する言語変換手段と、前記アプリケーションからの印刷時の各種機能設定を行なう機能設定手段と、印刷するオブジェクトの色を検出する色検出手段と、オブジェクトごとに色を変化させる色変化手段と、を有するプリンタドライバを備え、テキストの置き換え破線線種、イメージの濃度閾値、グラフィックの置き換え破線種・パターン種・パターンブラシ種を選択することを特徴とする印刷システム。
【請求項５】
前記パソコンに請求項１乃至４の何れか一項に記載の処理を行わせるプログラムを格納したことを特徴とする記録媒体。
【発明の詳細な説明】
【０００１】
【発明の属する技術分野】
本発明は、印刷データを作成するパソコンと、印刷データを紙に出力するプリンタとが接続された印刷システムに関するものである。
【０００２】
【従来の技術】
昨今のＯＡ機器の普及により、印刷量が増え、紙とインク、トナーといった資源の消費が拡大している。印刷がカラーであった場合にはさらに、紙、インク、トナーの消費量は大きくなる。
【０００３】
【発明が解決しようとする課題】
ここで、印刷に際し、きれいな印字である必要はなく、内容が確認できればよいという場合も多い、また、カラー印字である必要がない場合も多い。
本発明は、このような事情に鑑み、通常のＯＡ業務において支障のない範囲内で、色のついている部分はついていない部分と比べて区別ができればよい程度のレベルの用途において、インク、トナー消費量を軽減し、また印字情報を欠落させることがない程度に情報量を減少させることで、インク、トナー消費量を軽減することが可能な印刷システムを提供することを目的とする。
【０００４】
【課題を解決するための手段】
上記目的を達成するために、請求項１記載の発明は、印刷データを作成するパソコンと、印刷データを紙に出力するプリンタとが接続された印刷システムにおいて、前記パソコンは、文書作成編集を行うアプリケーションからの文書などの印刷要求を、プリンタが解釈できるプリンタ言語に変換する言語変換手段と、前記アプリケーションからの印刷時の各種機能設定を行なう機能設定手段と、印刷するオブジェクトの色を検出する色検出手段と、前記オブジェクトごとに色を変化させる色変化手段と、を有するプリンタドライバを備え、印刷要求されるテキスト部線分を破線出力することを特徴とする。
請求項２記載の発明は、印刷データを作成するパソコンと、印刷データを紙に出力するプリンタとが接続された印刷システムにおいて、前記パソコンは、文書作成編集を行うアプリケーションからの文書などの印刷要求を、プリンタが解釈できるプリンタ言語に変換する言語変換手段と、前記アプリケーションからの印刷時の各種機能設定を行なう機能設定手段と、印刷するオブジェクトの色を検出する色検出手段と、前記オブジェクトごとに色を変化させる色変化手段と、を有するプリンタドライバを備え、印刷要求されるイメージ部の色を調査し、検出される色に対して濃い・薄いという判定を設け、薄い判定分は白抜けにし、濃い判定分は色は据え置きにすることを特徴とする。
【０００５】
請求項３記載の発明は、印刷データを作成するパソコンと、印刷データを紙に出力するプリンタとが接続された印刷システムにおいて、前記パソコンは、文書作成編集を行うアプリケーションからの文書などの印刷要求を、プリンタが解釈できるプリンタ言語に変換する言語変換手段と、前記アプリケーションからの印刷時の各種機能設定を行なう機能設定手段と、印刷するオブジェクトの色を検出する色検出手段と、オブジェクトごとに色を変化させる色変化手段と、を有するプリンタドライバを備え、印刷要求されるグラフィック部において、線分は破線で、塗りつぶしはスクリーントーンのパターンで、パターンは線分置き換え可能であれば線分への置き換えを行うことを特徴とする。
請求項４記載の発明は、印刷データを作成するパソコンと、印刷データを紙に出力するプリンタとが接続された印刷システムにおいて、前記パソコンは、文書作成編集を行うアプリケーションからの文書などの印刷要求を、プリンタが解釈できるプリンタ言語に変換する言語変換手段と、前記アプリケーションからの印刷時の各種機能設定を行なう機能設定手段と、印刷するオブジェクトの色を検出する色検出手段と、オブジェクトごとに色を変化させる色変化手段と、を有するプリンタドライバを備え、テキストの置き換え破線線種、イメージの濃度閾値、グラフィックの置き換え破線種・パターン種・パターンブラシ種を選択することを特徴とする。
請求項５記載の発明は、前記パソコンに請求項１乃至４の何れか一項に記載の処理を行わせるプログラムを格納したことを特徴とする。
【０００６】
【発明の実施の形態】
以下、図面により本発明の実施の形態を詳細に説明する。図１は本発明の実施の形態に係る印刷システムの構成図である。本印刷システムは、印刷データを作成するパソコン１と、印刷データを紙に出力するプリンタ９とが接続されて構成されている。
パソコン１は、アプリケーション２、ＯＳモジュール３、プリンタドラバ４を備えている。アプリケーション２は、パソコン１上で動作するプリンタドライバ４に対して印刷要求を出す。ＯＳモジュール３は、印刷要求時、アプリケーション２とプリンタドライバ４との間を仲介する。
プリンタドラバ４において、ＵＩドライバ５は、プリンタドライバ４内のＵＩ処理モジュールで、アプリケーション２からの印刷ダイアログから表示起動されるＵＩ画面を表示し、各種印刷設定を行う。グラフィックドライバ６は、印刷設定を取り込み、プリンタ９が解釈できるコマンド群である印刷データを生成する。置き換えモジュール７は、本発明におけるオブジェクト毎の置き換え処理を受け持つ。出力ポート８は、印刷データをプリンタ９に送るためのセントロやＵＳＢやネットワークなどである。
図２は文字オブジェクトの分離に関するフローチャートである。アプリケーション２からの印刷時、プリンタドライバ４は、ＯＳモジュール３経由で印字処理を担うが、その際に置き換えモジュール７にてページ中のオブジェクトを分離管理してテキストオブジェクトを抽出し、その線分をさらに抽出し、線を点で置き換える。その際点の間隔を調整することによって、破線を呈するようにする。
尚点の大きさは線分の幅などによって自動決定されるが、この点の間隔ならびにサイズおよび置き換えるか否かは、プログラムで一定の定義に基づく自動処置でもかまわないし、設定画面からのユーザによるマニュアル指示でも構わない（以上Ｓ１〜Ｓ５）。
【０００７】
図３はイメージオブジェクトの分離に関するフローチャートである。アプリケーション２からの印刷時、プリンタドライバ４は、ＯＳモジュール３経由で印字処理を担うが、その際に置き換えモジュール７にてページ中のオブジェクトを分離管理してイメージオブジェクトを抽出し、その色をドットごとあるいはドットの塊ごとに抽出し、色をおしならべる。その色中において閾値を設け、その閾値以下または閾値未満の色は白で置き換える。
閾値を超えるまたは以上の色は据え置きとする。閾値の導出は色の平均値をとる、あるいは一意に決める、あるいは設定で与えられる、のいずれでもよいし、置き換えるか否かを含めて、設定においては設定画面からのユーザによるマニュアル指示によるもの等を想定する（以上Ｓ１１〜Ｓ１５）。
【０００８】
図４はグラフィックオブジェクトの分離に関するフローチャートである。アプリケーション２からの印刷時、プリンタドライバ４は、ＯＳモジュール３経由で印字処理を担うが、その際に置き換えモジュール７にてページ中のオブジェクトを分離管理してグラフィックオブジェクトを抽出し、オブジェクト中、線分は破線にて、パターン（ブラシ）は線分扱い可能なものは破線にて、塗りつぶしはスクリーントーンパターン（色毎に変化させる）等のパターンにて置き換える。
その際破線を呈する点の間隔ならびに置き換えは、プログラムで一定の定義に基づく自動処置でも構わないし、ユーザからの設定画面等からのマニュアル指示でも構わない。また、塗りへの置き換えであるパターンも、プログラムで一定の定義に基づく自動処置でも構わないし、本置き換えを行うか否かを含めて、設定画面からのユーザによるマニュアル指示でも構わない（以上Ｓ２１〜Ｓ２５）。
ここで上記各処理例におけるオブジェクトに対して、その色変換処理を行うか否かユーザが選択できるようにする。その設定に従いプリンタドライバ４は、処理を行う。また、図２でも記述したが、背景色との干渉を憂慮し、その時の再置き換えの設定を画面を見ながらマニュアルで行い、その設定に従い動作を行う。尚、画面からの設定では、自動とマニュアルを容易に切り換えられるようにする。
又、本発明においては、それぞれの請求項にあてはまるソフトウエアを有する記録媒体をも提供するものである。
【０００９】
【発明の効果】
以上説明したように、請求項１〜３記載の発明によれば、インク、トナーを節約することができる。また紙面上のインク、トナー量が減るので、その分裏紙で使用できる頻度が高くなりえる。従って省資源およびリサイクルの複数面において効果がある。
請求項４記載の発明によれば、置き換え処理をオブジェクト毎にユーザが設定できる。
請求項５記載の発明によれば、記録媒体により上記の効果を容易に得ることができる。
【図面の簡単な説明】
【図１】本発明の実施の形態に係る印刷システムの構成図である。
【図２】文字オブジェクトの分離に関するフローチャートである。
【図３】イメージオブジェクトの分離に関するフローチャートである。
【図４】グラフィックオブジェクトの分離に関するフローチャートである。
【符号の説明】
１  パソコン
２  アプリケーション
４  プリンタドライバ
９  プリンタ
【図１】
2004178008.tif 000003
【図２】
2004178008.tif 000004
【図３】
2004178008.tif 000005
【図４】
2004178008.tif 000006